(57)【特許請求の範囲】
【請求項１】
少なくとも１つの加熱ノズルと周囲の冷却成形型との間に延びる絶縁空間を有するように、冷却成形型の円筒形の壁を有する凹所に前方に延び、後端と、前端と、その前端に隣接する少なくとも円筒形の外面を有する部分と、成形型の空洞に入るゲートと整合して後端から前端に延びる溶解物の穴とを有する少なくとも１つの加熱ノズルを有する射出成形装置において、
少なくとも１つのノズルを成形型の凹所に挿入する前に、少なくとも１つのノズルの前端に隣接した外側の円筒形面の周りに取り付けられたガイド密封リングを有し、このガイド密封リングは、内面及び外面を有し、内面は、少なくとも１つのノズルの外側の円筒形面の周りに適合する円筒形開口部を形成し、ガイド密封リングの外面は、凹所に適合して成形型の少なくとも１つのノズルの挿入中に少なくとも１つのノズルの前端を案内し、ガイド密封リングの外面と凹所の円筒形の壁との間に密封を形成し、前記ガイド密封リングは、その周りに間隔を置いた前方に延びた複数のフィンガを有し、ガイド密封リングがノズルの円筒形外面の周りに取り付けられたのち、前方に延びるフィンガは、ノズルの前端上の半径方向内側に屈曲されてガイド密封リングを所定の位置に保持する、射出成形装置。
【請求項２】
前記ガイド密封リングの外面は、成形型の凹所に適合する円周方向のフランジ部分を形成するために傾斜している請求項１に記載の射出成形装置。
【請求項３】
内側に傾斜した複数の間隔を置いた複数のリブが、フランジ部分から前方に延びている請求項２に記載の射出成形装置。
【請求項４】
ノズルの前端は、中に熱電対エレメントを有する穴を有し、ガイド密封リングの内面は、熱電対を受ける溝を有する請求項１に記載の射出成形装置。
【請求項５】
前方に延びる１つのフィンガは、ノズルの前端上の半径方向内側に屈曲してノズルの前端の開口部において熱電対エレメントを所定の位置に保持する請求項４に記載の射出成形装置。
【請求項６】
前記ガイド密封リングは、その周りに間隔を置いて後方に延びる複数のフィンガを有し、後方に延びるフィンガの各々は、ノズルの周りに巻かれるワイヤを受け、ノズルの外面に対して熱電対エレメントを所定の位置に固定する請求項５に記載の射出成形装置。
【発明の詳細な説明】
【０００１】
【発明の属する技術分野】
本発明は、射出成形に関し、特に、加熱ノズルに取り付けられるガイド及び密封リングに関する。
【０００２】
【従来の技術】
溶融物分配マニフォルドから延びている多数の加熱したノズルを有する射出成形装置は知られている。組み立て中、ノズルは成形型の空所に挿入される。もし、ノズルがまったく正確に整合しない場合には、１つまたはそれ以上のノズルが損傷を受ける場合がある。1998年9 月6 日にSchumidtらに付与された米国特許第4,758,945 号で分かるように、各加熱ノズルと包囲する冷却成形型との間の絶縁空気空隙のフランジを密封しそれを配置することは知られている。1994年9 月13日に付与された発明者の米国特許第5,346,388 号は、作動温度が各ノズルの前端の穴に後方に延びるように屈曲された熱電対エレメントによって監視されることを示している。1994年7 月5 日に付与された出願人の米国特許第5,326,251 号は、ノズルに対して熱電対を所定の位置に保持するために各ノズルの周りにワイヤを巻き付けることが示されている。これらの前述した構成は、多数の用途において非常に満足すべきものであるが、前述した密封及び配置リングは、それを受けるためにシートとノズルを共につくり、それを通って延びる熱電対は、備えられていない。
【０００３】
【課題を解決するための手段】
従って、本発明の目的は、ノズルの前端の周りに迅速に容易に取り付けることができる比較的廉価な案内及び密封リングを設けることによって従来技術の欠点の少なくとも一部を克服することが本発明の目的である。
【０００４】
この目的のために、１つの側面において、本発明は、加熱ノズルと周りの冷却成形型との間に延びる絶縁空気空隙を備えた冷却成形型に、ほぼ円筒形の壁を備えた凹部に前方に延びる少なくとも１つの加熱ノズルを有する射出成形装置を提供する。ノズルは、後端と、前端と、ほぼ円筒形の外面と、後端から成形型内の空洞に入るゲートと整合した前端に延びる溶解物の穴とを有する。
【０００５】
ガイド及び密封リングは、少なくとも１つのノズルを成形型の凹所に挿入する前に、少なくとも１つのノズルの前端に隣接した外側の円筒形面の周りに取り付けられる。ガイド及び密封リングは、内面及び外面を有する。内面は、少なくとも１つのノズルの外側の円筒形面の周りに適合する円筒形開口部を形成する。ガイド及び密封リングの外面は、凹所に適合して成形型の少なくとも１つのノズルの挿入中に少なくとも１つのノズルの前端を案内し、ガイド及び密封リング及び凹所のほぼ円筒形の壁との外面の間に密封を形成する。
【０００６】
本発明の目的及び利点は、添付図面と共に次の図面から明らかになる。
【０００７】
【発明の実施の形態】
以下、本発明の一実施例を図面を参照して詳細に説明する。
まず図１を参照すると、図１は、成形型１４に取り付けられるようになっている４つの細長い加熱ノズル１２を備えた溶融物分配マニフォルド１０を示す。この構成において、各ノズル１２は、溶融分配マニフォルド１０にねじこまれたねじつき後端（図示せず）と、前端１８に延びる円筒形外面１６とを有するが、多くの他の構成も使用することができる。溶融分配マニフォルド１０は、それに接続された電気プレートヒータ２０によって加熱され、各ノズル１２の中央穴２４と整列するように中央入口から分岐している溶融通路（図示せず）を有する。
【０００８】
図２で分かるように、各ノズル１２は、中央穴２４の周りで螺旋に延びている一体の電気加熱エレメントによって加熱される。成形型１４は、冷却導管２８を通して冷却水を送ることによって冷却される。各ノズル１２は、成形型１４の凹所３０に受けられ、絶縁空気空隙３２は、加熱ノズル１２、それを包囲する冷却成形型１４の円筒形壁３４との間に延びている。
【０００９】
図示した構成において、着脱可能な２つの部品からなるノズルシール３６は、各ノズルの前端１８に取り付けられている。１９９４年４月５日に発行された出願人の米国特許第５，２９９，９２８号に示すように、２つの部品のシール３６は、中空の内側部品３８を有し、所定の位置にきつく螺着された同軸の外側部分４２によってノズルの前端１８のシート４０の所定の位置に保持される。図面で分かるように、２つの部品からなるシール３６は、絶縁空気空隙３２にわたって延びており、処理温度で空洞４８と同じ平面の前面４６を備えた成形型１４の円筒形の開口部４４に受けられる。内側部品３８は、穴５０を有し、この穴５０は、空洞４８に入る外側部品４２のゲートに溶融物を搬送するためにノズルの中央穴２４と整列している。
【００１０】
注入サイクル中の溶融物の温度は、ノズル１２と成形型１４との間の空気空隙３２を通って延びている熱電対エレメント５４によって監視されており、熱電対エレメント５４は、ノズル１２の前端１８の後方に延びる穴５６に受けられている。熱電対エレメント５４は、以下に説明するようなノズル１２の周りに包囲された高温のワイヤ５８によってノズルの円筒形表面に対して保持されている。
【００１１】
また、図３乃至図５に示すように、本発明による好ましい実施例によるガイド及び密封リングは、各ノズル１２の前端１８の周りに取り付けられている。ガイド及び密封リング６０は、内面６２と外面６４とを有するステンレススチールから製造されている。内面６２は、ノズル１２の外側円筒形面１６の周りに適合される円筒形開口部６６を形成する。この実施例において、リング６０は、緊密な適合を保証しながら、ノズル１２の外面１６とリング６０の内面６２の寸法に大きな公差を可能とするように半径方向の間隙６８を有する。間隙６８の幅は、図面で誇張されている。間隙６８は、以下に説明するようにセラミック密封体によって閉鎖することができるように非常に狭い。他の実施例において、リングはノズル上に適合するように連続的につくられている。この実施例において、外面６４は、フランジ部分７０を形成し、フランジ部分７０には、そこから前方に延びる内側に傾斜した多数のガイドリブ７２が形成されている。第２図によく示すように、フランジ部分７０の大きさは、２つの部分からなるシール３６とガイド及び密封リング６０との間の空隙７６に圧力溶融物の漏れが生じる場合に第２のシールを提供するように円筒形の凹所に適合されるようになっている。よく知られるように、もしそれらが十分に接近した場合に溶融物が粘性シールを形成するように隆起部７４と凹所の壁３４との間に連続的な接触を有することが必ずしも必要ではない。他の実施例において、外面６４は、フランジ部分７０から前方に連続しているが、間隔を置いたガイドリブ７２を有する傾斜部を形成し、加熱したノズル１２から冷却成形型１４への熱損失を低減する。
【００１２】
案内及び密封リング６０は、リング６０の周りに間隔を置いた前方に延びる多数のフィンガ７８を有する。リング６０の内面６２は、その中に溝８０を有し、溝８０に隣接したフィンガ８２は、さらに外側に配置され、他のフィンガより長い。図５で分かるように、ガイド及び密封リング６０は、ノズル１２の前端上に取り付けられており、溝８０を通って延びる熱電対エレメント５４を備えている。フィンガ７８は、リング６０を所定の位置に固定するためにノズルの前端１８上にハンマ８４のような適当な道具で屈曲される。図２ではっきり分かるように、フィンガ８２は、穴５６の所定の位置に熱電対エレメント５４を保持するようにフィンガ８２が曲げられる。ガイド及び密封リング６０を所定の位置に取り付けた後に、CERAMABOND668 （商品名Aremco）のような適当な液体熱硬化性セラミック密封体が熱電対エレメント５４の薄い空隙６８と溝８０を含むリング６０とノズル１２との間の空隙に空気分配管８６又はシリンジから適用される。このノズル１２は、熱硬化性セラミック密封体を硬化するためにほぼ２００°Ｃの温度まで炉内で加熱される。
【００１３】
また、ガイド及び密封リングは、その周りに空隙を置いた多数の後方に延びるフィンガ８８を有する。後方に延びるフィンガ８８は、ノズル１２の外面に対して熱電対エレメント５４及びリング６０それ自身を所定の位置に固定するためにノズルの周りに巻かれたワイヤを受ける外側に面したノッチを有する。
【００１４】
使用において、射出成形システムは、溶融体分配マニフォルド１０を降下させ、図１に示すように成形型１４の所定の位置に取り付けることによって組み立てられる。傾斜ガイドリブ７２は、ノズル１２を最初に凹所に案内し、フランジ部分７０が各ノズル１２に整合し、その結果、２つの部分からなる密封体３６は、その前面４６に損傷を与えることなく円筒形開口部４４に入る。円筒形開口部４４は、それらの間に円滑な接触のみがあることを保証するように傾斜縁部９２を有する。
【００１５】
組み立ての後に、マニフォルド１０のヒータ２０に及びノズル１２の加熱エレメント２６に電力が印加され、それらを所定の作動温度まで加熱する。フランジ部分７０及び傾斜リブ７２の形状は、加熱ノズル１２から周囲の冷却成形型１４への熱損失を最小限にする。圧縮溶融体が、成形機（図示せず）から所定のサイクルによる溶融体通路の中央入口２２に入れられる。溶融体は、溶融体分配マニフォルド１０と、ノズル１２と、ノズル密封体３６と、ゲート５２とを通って空洞４８に流れる。空洞４８が満たされた後、適当なパッキング及び冷却期間が終了し、開放ゲート５２を通る後引きをさけるため溶融体搬送装置が減圧される。放出後、成形型１４が閉鎖され、空所４８の寸法及び成形される材料のタイプに依存したサイクル時間でサイクルが連続的に繰り返される。案内及び密封リングを有する射出成形装置の説明を好ましい実施例を参照して説明したが、当業者によって理解されるように次の請求の範囲として理解できるような本発明の観点から逸脱することなく種々の他の変形例が可能である。
【図面の簡単な説明】
【図１】成形型の所定の位置に取り付けられる溶解物マニフォルドから延びる４つの加熱ノズルを示す斜視図である。
【図２】成形型に受けられた後の図１の１つのノズルの一部を示す断面図である。
【図３】図２に示すガイド及び密封リングの後方から見た概略図である。
【図４】同じリングを反転した概略図である。
【図５】所定の位置に固定されたガイド及び密封リングを示す概略図である。
【符号の説明】
１０  マニフォルド
１２  ノズル
１６  円筒形外面
１８  前端
２０  プレートヒータ
２２  中央入口
２４  中央穴
２６  電気加熱エレメント
２８  冷却導管
３０  空所
３４  円筒形壁
３６  密封体
４２  外側部分
５６  穴
６０  密封リング
７０  フランジ部分
【図１】
0004118983.tif 000002
【図２】
0004118983.tif 000003
【図３】
0004118983.tif 000004
【図４】
0004118983.tif 000005
【図５】
0004118983.tif 000006